(57)【要約】【課題】重要度判定が可能な撮像装置を提供する。【解決手段】本発明の撮影装置１は、被写体像を撮像する撮像部１０２と、前記撮像部１０２により撮像された前記被写体像を記録する記録部１１３と、撮影準備を行う第１状態と、被写体像の撮像を行わせる第２状態との２段階の操作が可能なシャッタ操作部材１０４と、前記シャッタ操作部材１０４が前記第１状態にある第１状態時間を計時する計時部１０９と、前記撮像部１０２に撮像された撮影画像における被写体情報を取得する被写体情報取得部１１１と、前記第１状態時間と前記被写体情報とから、前記撮影画像の重要度を判別する重要度判別部１０７とを備えることを特徴とする。【選択図】図１
2014233011.tif 000002
【特許請求の範囲】
【請求項１】
被写体像を撮像する撮像部と、
前記撮像部により撮像された前記被写体像を記録する記録部と、
撮影準備を行う第１状態と、被写体像の撮像を行わせ、前記記録部に記録をさせる第２状態との２段階の操作が可能なシャッタ操作部材と、
前記シャッタ操作部材が継続して前記第１状態にある第１状態時間を計時する計時部と、
前記撮像部に撮像された撮影画像における被写体情報を取得する被写体情報取得部と、
前記第１状態時間と前記被写体情報とから、前記撮影画像の重要度を判別する重要度判別部と、
を備える撮影装置。
【請求項２】
請求項１に記載の撮影装置であって、
前記被写体情報は、前記撮影画像における顔の占める割合または顔の数であること、
を特徴とする撮影装置。
【請求項３】
請求項２に記載の撮影装置であって、
前記顔が占める面積が大きいほど、または前記顔の数が多いほど、重要度を高くすること、
を特徴とする撮影装置。
【請求項４】
請求項１から３のいずれか１項に記載の撮影装置であって、
前記第１状態時間を閾値と比較し、前記閾値より前記第１状態時間が長い場合に、前記閾値より第１状態時間が短い場合よりも重要度を高くすること、
を特徴とする撮影装置。
【請求項５】
請求項４に記載の撮影装置であって、
前記撮影画像における顔の個数または前記顔の種類によって、前記閾値を変更すること、
を特徴とする撮影装置。
【請求項６】
請求項１から５のいずれか１項に記載の撮影装置であって、
さらに前記重要度に応じて、前記撮影画像を前記記録部に記録する際の品質またはサイズを変更する制御部を備えること、
を特徴とする撮影装置。
【請求項７】
請求項６に記載の撮影装置であって、
前記記録部に記録された前記撮影画像を順次表示するスライド表示が可能な表示部を備え、
前記制御部は、前記重要度に応じて、前記表示部における前記スライド表示の再生速度を調整すること、
を特徴とする撮影装置。
【請求項８】
請求項６に記載の撮影装置であって、
前記記録部に記録された前記撮影画像を順次表示するスライド表示が可能な表示部を備え、
前記制御部は、前記重要度に応じて、前記表示部において前記スライド表示する撮影画像の構成を変更すること、
を特徴とする撮影装置。
【請求項９】
請求項６から８のいずれか１項に記載の撮影装置であって、
動画撮影が可能であり、
前記シャッタ操作部材が前記第２状態に操作されて静止画が撮影された場合に、静止画撮影時の前後の少なくとも一方の動画が、前記静止画とともに前記記録部に記録される撮影モードを有し、
前記制御部は、前記重要度が高いほど、前記記録部に記録させる前記動画の記録時間を長くすること、
を特徴とする撮影装置。
【発明の詳細な説明】
【技術分野】
【０００１】
本発明は、撮影装置に関するものである。
【背景技術】
【０００２】
従来、撮影前後の拡大操作や、電源ＯＮからレリーズまでの時間などに応じて、ユーザ嗜好を反映して取得画像の重要度を決める撮像装置がある（特許文献１参照）。
【先行技術文献】
【特許文献】
【０００３】
【特許文献１】特開２００７−０１３９３６号公報
【発明の概要】
【発明が解決しようとする課題】
【０００４】
しかし、上記従来技術では、例えば取得画像のピント確認を行うために全取得画像に対して拡大操作を行う場合があり、その場合、拡大操作が重要度を決める主たる要因ではなくなる。また、電源ＯＮからレリーズまでの時間で重要度を決める場合、電源ＯＮから２枚目以降の画像は重要度判定ができない。
【０００５】
本発明の課題は、重要度判定が可能な撮像装置を提供することである。
【課題を解決するための手段】
【０００６】
本発明は、以下のような解決手段により前記課題を解決する。
請求項１に記載の発明は、被写体像を撮像する撮像部と、前記撮像部により撮像された前記被写体像を記録する記録部と、撮影準備を行う第１状態と、被写体像の撮像を行わせ、前記記録部に記録をさせる第２状態との２段階の操作が可能なシャッタ操作部材と、前記シャッタ操作部材が継続して前記第１状態にある第１状態時間を計時する計時部と、前記撮像部に撮像された撮影画像における被写体情報を取得する被写体情報取得部と、前記第１状態時間と前記被写体情報とから、前記撮影画像の重要度を判別する重要度判別部と、を備える撮影装置である。
請求項２に記載の発明は、請求項１に記載の撮影装置であって、前記被写体情報は、前記撮影画像における顔の占める割合または顔の数であること、を特徴とする撮影装置である。
請求項３に記載の発明は、請求項２に記載の撮影装置であって、前記顔が占める面積が大きいほど、または前記顔の数が多いほど、重要度を高くすること、を特徴とする撮影装置である。
請求項４に記載の発明は、請求項１から３のいずれか１項に記載の撮影装置であって、前記第１状態時間を閾値と比較し、前記閾値より前記第１状態時間が長い場合に、前記閾値より第１状態時間が短い場合よりも重要度を高くすること、を特徴とする撮影装置である。
請求項５に記載の発明は、請求項４に記載の撮影装置であって、前記撮影画像における顔の個数または前記顔の種類によって、前記閾値を変更すること、を特徴とする撮影装置である。
請求項６に記載の発明は、請求項１から５のいずれか１項に記載の撮影装置であって、さらに前記重要度に応じて、前記撮影画像を前記記録部に記録する際の品質またはサイズを変更する制御部を備えること、を特徴とする撮影装置である。
請求項７に記載の発明は、請求項６に記載の撮影装置であって、前記記録部に記録された前記撮影画像を順次表示するスライド表示が可能な表示部を備え、前記制御部は、前記重要度に応じて、前記表示部における前記スライド表示の再生速度を調整すること、を特徴とする撮影装置である。
請求項８に記載の発明は、請求項６に記載の撮影装置であって、前記記録部に記録された前記撮影画像を順次表示するスライド表示が可能な表示部を備え、前記制御部は、前記重要度に応じて、前記表示部において前記スライド表示する撮影画像の構成を変更すること、を特徴とする撮影装置である。
請求項９に記載の発明は、請求項６から８のいずれか１項に記載の撮影装置であって、動画撮影が可能であり、前記シャッタ操作部材が前記第２状態に操作されて静止画が撮影された場合に、静止画撮影時の前後の少なくとも一方の動画が、前記静止画とともに前記記録部に記録される撮影モードを有し、前記制御部は、前記重要度が高いほど、前記記録部に記録させる前記動画の記録時間を長くすること、を特徴とする撮影装置である。
【０００７】
なお、上記構成は、適宜改良してもよく、また、少なくとも一部を他の構成物に代替してもよい。
【発明の効果】
【０００８】
本発明によれば、重要度判定が可能な撮像装置を提供することができる。
【図面の簡単な説明】
【０００９】
【図１】発明の一実施形態のカメラを示した機能ブロック図である。
【図２】カメラのＣＰＵにおける、撮影から画像再生までの手順の流れを説明するフローチャートである。
【図３】図２における分類フローを説明する図である。
【図４】本実施形態の流れを模式的に表した図である。
【発明を実施するための形態】
【００１０】
以下、本発明の実施形態について説明する。
図１は本発明の一実施形態のカメラ１を示すブロック図であり、カメラ１は、カメラ本体１００とレンズユニット２００とを備える。
【００１１】
レンズユニット２００は、カメラ本体１００に対して着脱可能であって、装着状態でカメラ本体１００に対して電気的に接続される。
なお、本実施形態においてレンズユニット２００は、このようにカメラ本体１００に対して着脱可能であるが、これに限定されず、カメラ本体１００に対して一体となったものであってもよい。また、本実施形態では、デジタルスチルカメラについて説明するが、これに限定されず、デジタルムービーカメラでも良い。
【００１２】
レンズユニット２００は、ＡＦ(オートフォーカス)レンズを含むレンズ２０１と、ＡＦレンズを駆動するＡＦモータ２０２とを備え、ＡＦ及びズーム可能なレンズ鏡筒である。
【００１３】
カメラ本体１００は、絞り兼用シャッタ１０１と、受光素子であるＣＣＤ１０２、画像処理回路１０３、シャッタスイッチ（シャッタ操作部材）１０４、評価値認識回路１０５、記録制御回路１０６、重要度判別回路（重要度判別部）１０７、スライドショー生成回路１０８、Ｓ１時間計測回路（計時部）１０９、画像再生回路１１０、シーン認識回路(被写体情報取得部)１１１、ＬＣＤ１１２、ＲＡＭ（記録部）１１３、ＤＲＡＭ１１４、記録メディアＩ／Ｆ１１５、及びそれらを制御するＣＰＵ１２０を備える。
記録メディアＩ／Ｆ１１５には、不揮発性メモリなどの記録メディア１１６が着脱可能である。
【００１４】
絞り兼用シャッタ１０１は、露光を調節する絞りとシャッタ幕を兼用にしてある露出制御部である。
ＣＣＤ１０２は、光学像を電気信号に変換する撮影素子である。
画像処理回路１０３は、Ａ／Ｄ変換器からのデータ画像データメモリからのデータに対して所定の画素補間処理や色変換処理を行う。
【００１５】
シャッタスイッチ１０４は、ＡＦモータ２０２によりレンズ２０１を駆動してＡＦ動作を行う撮影準備動作を指示する半押しＳ１と、ＣＣＤ１０２による画像取得を行ってＲＡＭ１１３に記録する撮影動作を指示する全押しＳ２との２つの状態を取ることが可能である。
【００１６】
評価値認識回路１０５は、後述するＳ１時間計測回路１０９で計測された半押しＳ１時間を評価値とし認識し記録する。
記録制御回路１０６は、動画などの記録可能時間の調整、撮影画像の圧縮率や画像サイズ変更などを実行する。
重要度判別回路１０７は、得られた評価値等に応じて撮影画像のランク付けを行い，撮影画像に重要度を付記する。
スライドショー生成回路１０８は、撮影画像よりスライドショーを生成するものであり、重要度に応じて１ファイルの再生時間やエフェクトなどを調整する。
Ｓ１時間計測回路１０９は、シャッタスイッチ１０４により半押しＳ１が継続して行われている時間を計測し、ＲＡＭ１１３などに記録する回路である。
【００１７】
画像再生回路１１０は、撮影画像の再生を制御する回路であり、重要度に応じてファイル（画像）ごとに再生速度を調整する。
シーン認識回路１１１は、撮影シーンの認識及び顔検を行い、さらに撮影画像中における顔が占める割合（面積）と顔個数を判断する回路である。顔検出の際は枠を表示させる。
【００１８】
ＬＣＤ１１２は、カメラ本体の背面に設けられた液晶表示装置であり、撮影画像の表示を行う。
ＲＡＭ１１３は、撮影した画像データを格納するメモリであり、所定枚数の画像データを格納するのに十分な記憶量を備えている。
【００１９】
ＤＲＡＭ１１４は、表示データ等の各種データを一時保存する。ＣＰＵ１２０のワーキングメモリとしても使用する。
記録メディアＩ／Ｆ１１５は、メモリーカードやハードディスクなどの記録媒体とのインタフェースである。
記録メディア１１６は、着脱可能な不揮発性メモリである。
ＣＰＵ１２０は、撮影全般から画像処理、画像取得まで制御する回路である。時計機能（ＲＴＣ）、カレンダーも備えている。
【００２０】
(重要度の判定の原理)
一般的にユーザは、半押しＳ１を保持したままシャッターチャンスまで待機することが多い。特に人物撮影などでは半押しＳ１時間に比例にして、取得画像に対するユーザ期待度も高くなる傾向にある。例えば、赤ちゃんなどなかなか笑ってくれない状況で、ユーザは半押しＳ１を保持しながらシャッターチャンスを狙う。したがって、本実施形態では、半押しＳ１時間を評価値Ｔとして、この評価値Ｔが大きいほど、撮影画像の重要度が高いと判定する。また、重要なシーンほどある程度アップにして撮影する傾向にある。
【００２１】
このように、長い半押しＳ１の末撮影された画像、及び画像中における顔の占める割合が大きい画像は、大変重要なシーンの画像として扱われる。したがって、本実施形態では、画像中における顔の占める割合が大きいほど、撮影画像の重要度が高いと判定する。
【００２２】
複数の人物が存在しているシーンは、集合写真など重要な写真である可能性が高い。したがって、本実施形態では、画像中における顔の数が多いほど、撮影画像の重要度が高いと判定する。
そして、複数の人物が存在しているシーンは、良い瞬間（被写体全員の表情、環境の変化）を撮影するために撮影者は相応の時間を費やすと考えられる。このため、複数人物シーンにおいても半押しＳ１の時間が長くなるにつれ重要度が増す傾向にある。したがって、本実施形態では、複数の人物が存在しているシーンにおいても、半押しＳ１時間である評価値Ｔが大きいほど、撮影画像の重要度が高いと判定する。
【００２３】
（フローチャート）
図２は上記構成のカメラ１のＣＰＵ１２０における、撮影から画像再生までの手順の流れを説明するフローチャートである。図３は、図２における分類フローを説明する図である。図４は本実施形態の流れを模式的に表した図である。
【００２４】
図２に示すように、まず、ＣＰＵ１２０は、シャッタスイッチ１０４において半押しＳ１が行われたかを判断する（ステップＳ１０１）。「ｙｅｓ」ならばＳ１時間計測回路１０９によりカウント開始をする（ステップＳ１０２）。
次いで、シャッタスイッチ１０４において全押しＳ２が行われたかを判断（ステップＳ１０３）。「ｙｅｓ」ならばカウントを終了し（ステップＳ１０４）、ＣＣＤ１０２における画像取得を行う（ステップＳ１０５）。「Ｎｏ」ならばＳ１０３を繰り返す。
【００２５】
Ｓ１０５における画像取得の後、図３に示す後述の分類フローを呼び出し、撮影画像の分類を行う（ステップＳ１０６）。
そして、分類された画像を記録し（ステップＳ１０７）、終了する。
【００２６】
次に、図２のＳ１０６の分類フローを図３及び図４により説明する。
まず、シーン認識回路１１１により撮影画像中における顔が占める割合と顔個数を判断する（ステップＳ２０１）。たとえば、顔の占める割合が所定の割合以上である場合、または、顔の数が所定の数以上の場合、Ｓ２０２へ進む。
【００２７】
そして、Ｓ１時間計測回路１０９により計測した半押しＳ１時間である評価値Ｔを取得する（ステップＳ２０２）。
評価値Ｔが第１閾値Ｔ１（本実施形態において１秒）以下（Ｔ≦Ｔ１＝１（ｓｅｃ））かどうかを判断する（ステップＳ２０３）。
半押しＳ１時間Ｔが第１閾値Ｔ１（＝１秒）以下ならば、撮影画像は重要ではないと判断し、重要度１とし、重要度を示すマーク(たとえば星１つ)を画像のｅｘｉｆ情報などに付加する（ステップＳ２０４）。
【００２８】
ステップＳ２０３で、評価値Ｔが、第１閾値Ｔ１（＝１秒）より大きい場合、評価値Ｔが第２閾値Ｔ２（＝３秒）以下（Ｔ≦Ｔ２＝３（ｓｅｃ））かどうかを判断する（ステップＳ２０５）。
評価値Ｔが第１閾値Ｔ１（＝１秒）より大きく第２閾値Ｔ２（＝３秒）以下（１＜Ｔ≦３）ならば、やや重要として、重要度２とし、重要度２を示すマーク(たとえば星２つ)を画像のｅｘｉｆ情報などに付加する（ステップＳ２０６）。
【００２９】
ステップＳ２０５、評価値Ｔが第２閾値Ｔ２（＝３秒）より大きい場合、最重要として重要度３とし、重要度３を示すマーク(たとえば星３つ)を画像のｅｘｉｆ情報などに付加する（ステップＳ２０７）。
Ｓ２０４，２０６，２０７の後、評価値Ｔを初期化して（ステップＳ２０８）終了する。
【００３０】
図３の分類フローの後、図４に示すように、顔認識と評価値Ｔに応じて取得された重要度に応じて、画質、動画記録時間、動画再生速度などを制御する。
【００３１】
例えば、画像を記録する画質や圧縮率（クオリティやサイズ）を、重要度に応じて変更する。すなわち、重要度が１の場合、圧縮率を高くし、重要度が３の場合、圧縮率を低くし、重要度が２の場合、圧縮率をその中間の値とする。
例えば、重要度が低い画像はユーザ嗜好に反したシーンが撮影してしまった場合が考えられるが、この場合、圧縮率が高くなるので、記録メモリを効率的に使用することが可能となる。
また、画像書き込み時間や転送時間の短縮も実現することが可能で、効率的な撮影や画像管理が行える。
【００３２】
また、画像再生回路１１０は、ＬＣＤ１１２に撮影画像をスライド再生させる場合、その再生速度を重要度に応じて変更する。すなわち、重要度が１の場合の再生速度を基準速度としたときに、重要度が２の場合、再生速度を基準速度の０．５倍とし、重要度が３の場合、再生速度を基準速度の０．３倍とする。
【００３３】
また、制御部１２０は、重要度に応じて、表示部においてスライド表示する画像の構成を変更する。すなわち、例えば重要度の高いもののみ表示したりする。
【００３４】
このように、重要度に応じて、画像再生速度や再生順序を構成することにより、ユーザ嗜好を反映した取得画像のスライドショーを生成することが可能となる。
【００３５】
さらに、カメラ１が、シャッタスイッチ１０４の半押しＳ１により動画撮影を開始し、全押しＳ２に応じて静止画を撮影し、その静止画の前後の所定時間の動画を静止画と同時に記録し、ショート動画をスローモーションとして静止画を合わせた映像を再生可能なモードを有しているものがある。
このようなカメラ１の場合、その、所定時間を重要度に応じて変更する。すなわち、すなわち、評価値が２の場合の所定時間を基準時間としたときに、重要度が１の場合、評価値２の場合よりも所定時間を短くし、重要度が３の場合、重要度２の場合よりも所定時間を長くする。
このように本実施形態によると、重要度に応じて記録時間を変更するので、ユーザ嗜好に合致した長さの動画が記録される。
【００３６】
（変形形態）
以上、説明した実施形態に限定されることなく、以下に示すような種々の変形や変更が可能であり、それらも本発明の範囲内である。
（１）本実施形態においては、シーン認識回路１１１が撮影画像中における顔認識を行い、顔が占める割合が所定以上、または顔個数が所定数以上の場合、重要度を判別する例について説明したが、本発明はこれに限定されず、顔の割合や顔の個数に応じて重要度を変更(顔の割合が高いほど、また顔の個数が多いほど重要度を大きくする)してもよい。
【００３７】
（２）本実施形態においては、評価値Ｔが第１閾値Ｔ１以下の場合、重要度１、第２閾値Ｔ２以下の場合重要度２、第２閾値Ｔ２より大きい場合、重要度３とした。しかし、顔の個数が多い場合、半押しＳ１時間Ｔは長くなると考えられる。したがって、顔の個数が多い場合、この第１閾値Ｔ１、第２閾値Ｔ２の値を長くしても良い。
【００３８】
（３）また、乳児等のような思い通りになりにくい被写体の場合、半押しＳ１時間Ｔが長くなることが考えられるので、認識された顔の種類によって、第１閾値Ｔ１、第２閾値Ｔ２を変更しても良い。
【００３９】
（４）撮影者自身により、自分の子供の顔の登録が事前等に行われ、顔認識結果により認識された顔が、その登録された自分の子供の顔であった場合、他人の子供より、第１閾値Ｔ１、第２閾値Ｔ２を短くし、または第１閾値Ｔ１、第２閾値Ｔ２は同じであっても重要度を高くするようにしても良い。
【００４０】
（５）上述の実施形態や変形形態では、人間の顔について説明したが、これに限定されず、犬、猫等の顔であってもよい。
（６）半押しＳ１中に、カメラの前を通行人が通過等した場合のような、撮影画面に移動物が侵入したとき、その移動物が画面に侵入して出るまでの時間を、評価値を取得する場合に除いても良い。
【００４１】
（７）風景写真の場合、図３の分類フローは、Ｓ２０１を含まないものであってもよい。
（８）半押しＳ１をプリキャプチャー機能のスイッチに割り当てているカメラもあるので、Ｓ１時間をプリキャプチャー時間としてもよい。
なお、実施形態及び変形形態は、適宜組み合わせて用いることもできるが、詳細な説明は省略する。また、本発明は以上説明した実施形態によって限定されることはない。
【符号の説明】
【００４２】
１：カメラ、１００：カメラ本体、１０２：撮像部、１０４：シャッタ操作部材、１０５：評価値認識回路、１０７：重要度判別回路、１０８：スライドショー生成回路、１０９：時間計測回路、１１０：画像再生回路、１１１：シーン認識回路、１１１：被写体情報取得部、１１３：ＲＡＭ、１１３：記録部：１２０：ＣＰＵ、２００：レンズユニット
【図１】
2014233011.tif 000003
【図２】
2014233011.tif 000004
【図３】
2014233011.tif 000005
【図４】
2014233011.tif 000006